(57)【要約】【課題】ベースプレート上に多数のＬＥＤを簡単な作業で固設でき、配線が互いに電気的接触することなく容易に配線組立てできる発光体表示装置を提供する。【解決手段】ベースプレート１０上に複数の発光体１を配設した発光体表示装置であって、ベースプレートの表面及び裏面に、発光体の異なった極端子と接続する導線をそれぞれ配線するとともに、ベースプレートの裏面に配線された導線を発光体の一方の極端子１ａと接続するように、ベースプレートに貫通孔２ｄ，２ｅが設けられていることを特徴とする。また、貫通孔が発光体に近接して２個穿設されており、ベースプレートの裏面に配線された導線を、一の貫通孔より表面に表出させて、発光体の極端子と接続させる接続部として、接続部の導線の先を再び他の貫通孔より裏面に戻して、ベースプレートの裏面の配線された導線とすることを特徴とする。【選択図】図２
2008003112.tif 000002
【特許請求の範囲】
【請求項１】
ベースプレートの表面に複数の発光体を配設した発光体表示装置であって、
該ベースプレートの表面及び裏面に、該発光体の異なった極端子と接続する導線をそれぞれ配線するとともに、
該ベースプレートの裏面に配線された導線を該発光体の一方の極端子と接続するように、該ベースプレートに貫通孔が設けられていることを特徴とする発光体表示装置。
【請求項２】
前記貫通孔が前記発光体に近接して２個穿設されており、
前記ベースプレートの裏面に配線された導線を、
該貫通孔のうちの一の貫通孔より表面に表出させて、前記発光体の極端子と接続させる接続部とし、
該接続部の導線の先を再び該貫通孔のうちの他の貫通孔より裏面に戻して、
前記ベースプレートの裏面の配線された導線とすることを特徴とする請求項１に記載の発光体表示装置。
【請求項３】
前記発光体の極端子が、
その極端子と前記ベースプレートの表裏面に配線された導線とが半田付けされて、
前記ベースプレートに固定されていることを特徴とする請求項１又は２に記載の発光体表示装置。
【請求項４】
前記ベースプレートが透明な基板である請求項１乃至３のいずれかに記載の発光体表示装置。
【発明の詳細な説明】
【技術分野】
【０００１】
本発明は、多数の発光体、たとえば発光ダイオード（Light Emitting Diode：以下ＬＥＤと記載する）を基板上に配設した発光体表示装置に関する。
【背景技術】
【０００２】
近時、ＬＥＤは製造技術の向上により安価で高品質・高性能となり、それを光源に使用する広告、演出、装飾、各種案内などの表示装置として多用されている。そしてＬＥＤの寿命は極めて長いのでメンテナンスが簡単にできるというメリットもある。ＬＥＤを使用して平面な表示部を形成するにおいては、ＬＥＤのサイズが数ｍｍ以内と極めて小さいため、一定間隔で格子状に配列して選択した個々のＬＥＤを点灯・点滅制御して所望の文字、図柄を表示する方法がとられる。
【０００３】
従来、プラスチックなどの基板上（ベースプレート）に複数のＬＥＤを格子状（碁盤目の交点位置）に配列して、それらを連結して点灯・点滅制御電流用の導線が配線されていたが、このような基板を通して前方が透視可能であれば、設置場所の空間を広く演出できること、および視界を妨げないことから付近の通行の安全性を高めることができる。そのためには、基板上に配線する導線は、出来るだけ小径であることも効果的である。このような導線として、ビニール被覆などのない裸線は径を小さくできるため、透視性が優れているが、基板上を複雑に交錯する配線の電気的接触を避ける特段の工夫が求められる。
また、近年発光体としてのＬＥＤの性能向上と価格低下は、発光体表示装置のコストダウンと普及を促進しているところであるが、ベースプレート上での複雑な配線作業と多数のＬＥＤの固定作業について、一層の改善が求められている現状にある。
【０００４】
特許文献１には、表示装置の構造を単純化し発光体のベースプレートへの固定作業を低減したドットマトリックス状のＬＥＤ表示器が開示されている。特許文献１のＬＥＤ表示器は、基板の裏面から配線した金属薄板からなるストライプ状の行方向リード線と、表面部で配線した列方向リード線を絶縁部材を介在した状態で互いに直交させ、その交点にチップ状のＬＥＤを配設している。
【０００５】
しかしながら、特許文献１に記載の発明は、行列配線がクロスするドットマトリックス交点に多数の絶縁部材を確実に電気接触を避けながら配置しなければならないので、依然として精緻かつ複雑な組立て作業が避けられないという問題がある。
【特許文献１】特開平１１−２３７８４９号公報
【発明の開示】
【発明が解決しようとする課題】
【０００６】
本発明は、かかる実情に鑑み鋭意なされたもので、ベースプレートに配設した発光体表示装置において、ベースプレートに多数の発光体を簡単な作業で固定でき、配線が互いに電気的接触することなく容易に配線組立てできる発光体表示装置を提供することを目的とする。
【課題を解決するための手段】
【０００７】
請求項１に記載の発光体表示装置は、ベースプレートの表面に複数の発光体を配設した発光体表示装置であって、該ベースプレートの表面及び裏面に、該発光体の異なった極端子と接続する導線をそれぞれ配線するとともに、該ベースプレートの裏面に配線された導線を該発光体の一方の極端子と接続するように、該ベースプレートに貫通孔が設けられていることを特徴とする。
請求項２に記載の発光体表示装置は、請求項１において、前記貫通孔が前記発光体に近接して２個穿設されており、前記ベースプレートの裏面に配線された導線を、該貫通孔のうちの一の貫通孔より表面に表出させて、前記発光体の極端子と接続させる接続部とし、該接続部の導線の先を再び該貫通孔のうちの他の貫通孔より裏面に戻して、前記ベースプレートの裏面の配線された導線とすることを特徴とする。
請求項３に記載の発光体表示装置は、請求項１又は２において、前記発光体の極端子が、その極端子と前記ベースプレートの表裏面に配線された導線とが半田付けされて、前記ベースプレートに固定されていることを特徴とする。
請求項４に記載の発光体表示装置は、請求項１乃至３のいずれかにおいて、前記ベースプレートが透明な基板であることを特徴とする。
【発明の効果】
【０００８】
本発明の発光体表示装置は、ベースプレート上に格子状に配設した発光体の配設とそれへの電気配線を簡易に実施することが出来ると共に、その組立て方法も簡単である。また、本発明の発光体表示装置は、広告表示をはじめ各種表示に近時多用されている格子状に配設した発光体表示装置において、配線列と配線行とを電気的接触することなく配線することができる。
さらに、ベースプレート上に形成した貫通孔を用いて配線した配線列や配線行に発光体を直接半田付けすることにより、構造が極めて簡単であり経済性も高い発光体表示装置を簡易に製作できる。
【０００９】
両極用の２本の導線は、ベースプレートの所定の位置に設けた１又は２つの貫通孔で位置決めが行われ、かつ導線が貫通孔の開口部で直角に屈曲することからベースプレートに確実に固定される。貫通孔から表出した導線に発光体の極端子を半田付けされベースプレートに固定されるので、発光体の固定と同時に電気導通が実行される。
【００１０】
さらに、ベースプレートの表裏面に電気的接触をしないように正負極２本の導線を配線するので裸導線を使用することができる。導線が被覆層を有しない分導線径が小さくし、ベースプレートの透視性を高めることができる。また、配線作業時において導線の被覆膜剥離作業が不要となりベースプレート上の配線作業を大幅に軽減できる。さらにまた、裸線は被覆線に比較して安価であるというコスト上のメリットもある。
【発明を実施するための最良の形態】
【００１１】
以下、図面を参照しながら、本発明の発光体表示装置の実施の形態を詳述する。図１は、本発明の実施形態１の発光体表示装置の一部を示した平面図である。図２は、実施形態１の発光体表示装置の断面図（ａ）及び平面図（ｂ）の部分拡大図である。図３は、ベースプレート上に配設された発光体の平面図とそのＡ−Ａ断面図である。図４は、本発明の実施形態１の配線行終端部における発光体への導線の接続状態を示す説明図である。図５は、砲弾型のＬＥＤをベースプレートに取り付けた状態を示す平面図（ａ）と断面図（ｂ）である。図６は、実施形態２のの発光体表示装置の部分拡大図である。図７は、実施形態２のベースプレート上に発光体を取り付けた状態を示す説明図である。図８は、本発明の発光体表示装置のＬＥＤ点灯制御のブロック回路図である。図９は、発光体表示装置を複数ユニット設けた発光体表示パネルの平面図である。図１０は、本発明の発光体表示装置をコントロールボックスと組み合わせてシステム化した例を示す斜視図である。
【００１２】
（実施の形態１）
本発明の発光体表示装置は、図１、図２に示すように、ベースプレート１０の裏面に縦方向に複数の配線列と、ベースプレート１０の表面に横方向に複数の配線行とが配線され、配線列と配線行のそれぞれの交叉点において発光体が接続固定されている。すなわち、実施の形態１の発光体表示装置は、ベースプレート１０の左上部の配線ユニットとして、縦方向に８列（Ｂ１〜Ｂ８）の配線列６がベースプレート１０の裏面に配線され、横方向に８行（Ａ１〜Ａ８）の配線行７がベースプレート１０の表面に配線され、発光体１（実施の形態１ではＬＥＤを用いる。以下、発光体の一例としてＬＥＤを例にとって説明する）が、配線列６と配線行７との各交叉点において両配線と接続されているとともにベースプレート上に固定されている。
ベースプレート１０の裏面に配線される配線列６（図１において破線で示す）は、同一配線列上にＬＥＤを直列的に接続するとともに、ベースプレート１０の表面に配線される配線行７（図１において実線で示す）は、同一配線行上にＬＥＤを直列的に接続している。
【００１３】
なお、図１に示すように、上記した配線列及び配線行の組合せた配線ユニットを左右反転させた配線ユニットが、ベースプレート１０上の右半分にも設けられている。このようにベースプレートの面積に応じて、ベースプレート上に複数の配線ユニットを設けることもでき、大面積のベースプレート全体に発光体を多数配設することができる。また、ＬＥＤは２つの極端子（カソード端子とアノード端子）を有し、点灯させるためには、ベースプレートに配線された導線からそれぞれカソード端子及びアノード端子へ制御された電流を供給する必要がある。
【００１４】
図２（ｂ）に示すように、ベースプレート１０の裏面に設けられた配線列端子盤４から導出される導線（Ｂ１〜Ｂ８）は、所定位置までベースプレート１０の裏面を横方向に配線された後、ベースプレート１０の導出孔２を裏面から表面へ表出する。さらに、配線列のB２列の導線を例にとってベースプレート上の配線状態を詳しく説明すれば、導出孔２から表出した導線は、ベースプレート１０の導出孔２ａを通して再び裏面側に戻り、その後導出孔２ｂから表面側に再度表出し、導出孔２ｃで再び裏面に戻るように配線されている。そして、導出孔２ｃで裏面に抜けた導線は、そのまま直角に向きを変えて（図２の下方へ）、ベースプレート上において配線列６となる。
【００１５】
なお、配線列６を構成する導線は、ベースプレート上に配設するＬＥＤに近接した箇所に２個穿設された貫通孔のうちの一の貫通孔からベースプレート１０の表面に表出し、ＬＥＤの極端子と接続部において半田付け接続される。そして、接続後の導線の先を、２個穿設された貫通孔のうちの他の貫通孔より裏面に戻し、再び配線列６を構成する。
実施の形態では、接続部８は、配線列６の導線がベースプレート１０の裏面から表面に表出した箇所であり、この接続部８の一部と貫通孔の間において表出した導線にＬＥＤ１の一方の端子が接続されている。
【００１６】
次に配線行７について説明する。図２（ｂ）に示すように、ベースプレート１０の裏面に設けられた配線行端子盤５から導出された導線は、ベースプレート１０の裏面を各行位置まで放射状に配線され、ベースプレート１０の貫通孔３から表面に表出して配線行７をベースプレート１０の表面に形成する。
【００１７】
図３を参照して、配線列、配線行及びベースプレート上に配設される発光体との接続状態について説明する。まず、図１において示した丸囲みしたＸ部における接続状態について説明する。図３はＸ部の部分拡大平面図（ａ）及びその側断面図（ｂ）であり、ベースプレート１０の裏面からの配線列６の導線は、固定されるＬＥＤに近接して穿設された２個のうちの一の貫通孔２ｄから表出した後、右方向に直角に向きを変えて、他の貫通孔２ｅまでの間ベースプレート１０の表面を這うようにして接続部８を形成した後貫通孔２ｅを貫通して再び裏面へ戻る。
裏面に戻った導線は再び下方に直角に向きを変え、裏面側を這うようにして配線列６を形成し、次に配設されているＬＥＤに近接して２個穿設されている一の貫通孔から再度ベースプレートの表面へ表出する。そして、貫通孔２ｄと貫通孔２ｅ間において表出して接続部８を形成した導線は、ベースプレート１０の表面に配設されたＬＥＤの一の極端子１ａと半田付け接続される。一方、表面を這うように配線される配線行７は、ＬＥＤ１の他の極端子１ｂと半田付け接続される。
このようにして、ＬＥＤ１は、配線列６及び配線行７に半田付けされ接続されるとともにベースプレート１０の表面に固定される。
【００１８】
上述したように、配線列６は、間隔の小さい２個の貫通孔を直角に屈曲しながらベースプレート１０上を縫うように配線されているのでベースプレート１０に強く固着し、ＬＥＤを配線列６に直接半田付け接続しても配線列が緩むことなく、ＬＥＤをベースプレート１０の所定の位置に固設させることができる。
【００１９】
次に、図４に示すように、配線行７の終端部は、ベースプレート１０の表面左側からＬＥＤ１の極端子１ｂ前（図５（ａ）の下側）を通って貫通孔２ｇから裏面へ抜け、再び貫通孔２ｆを通って表面に戻るように一周巻回されて、接続部８でＬＥＤ１の極端子１ｂと半田付けされている。
なお、図４（ｂ）に示すように、ベースプレート１０の裏面に巻回された配線行７は、直交する配線列６と接触しないように、ベースプレート１０の裏面で配線行７を巻回すために設けられた溝９を通すことで、配線列６と立体交叉させるようになっている。
この配線行７の終端部の処理方法と同じように、配線列６の終端部においても２個の貫通孔を一周巻回して半田付けによりベースプレート１０に固着される（図示は省略）。
このように、本発明の発光体表示装置は、ベースプレートに対してＬＥＤを固設するための特別な加工をすることなく、ＬＥＤをベースプレート上の配線に半田付けするだけで多数のＬＥＤをベースプレート上に配設でき、製造工程を大幅に簡略化できる。
【００２０】
以上、チップ型（角型）のＬＥＤの例で本発明の表示装置の構造および配線方法を説明したが、丸型（砲弾型）のＬＥＤを表示装置に配設する例を図５に示す。図５に示すように、同様に、砲弾型ＬＥＤの底部に設けられている２本の極端子と、配線列６及び配線行７とが半田付け接続される。
なお、砲弾型のＬＥＤの場合は、砲弾型ＬＥＤの底部に設けられている２本の極端子のうち１本の足（図５（ａ）では極端子１ａ）を貫通孔に通してベースプレートの裏側に導出させ、もう一本の極端子１ｂは配線行７と半田付け接続するようにすることもできる。この場合は、ベースプレートの裏側に配線する配線列６は、貫通孔２ｄ、２ｅを通して一旦ベースプレートの表側に導く必要はなく、ベースプレートの裏に配線列６ａを設けるだけでよい。なお、図５（ａ）には配線列６の代わりに配線列６ａを示してあるが図５（ｂ）には示していない。
【００２１】
（実施の形態２）
実施の形態１では配線行がベースプレートの表面に配線されている例を説明したが、実施の形態２においては、原則として、配線列、配線行ともにベースプレートの裏面に配線されている例を説明する。図６に示すように、配線列６及び配線行７はベースプレート１０の裏面に配線されており、ＬＥＤが配設されている近接部分に穿設された２個の貫通孔間において、導線がベースプレート１０の表面に露出していて、その露出部分においてＬＥＤ１の両端子と半田付け固定される接続部８を形成する。なお、配線行７は、ベースプレート１０の裏面において配線列６と接触しないように、配線行７の導線を貫通させる２個の貫通孔の位置は、配線列６の導線を貫通させる２個の貫通孔の位置とずれるように配設されると同時に、配線行７用の２個の貫通孔の間隔を横方向に長く設定している。
図６のＺ部拡大断面図を図７に示す。図７において、配線行７を形成する導線はベースプレート１０の裏面左方向から貫通孔２ｆを貫通しベースプレート１０の表面に露出し、右方向に直角に屈曲してＬＥＤの極端子１ｂと半田付けされ接続部８を形成した後、貫通孔２ｇを下方に抜けてベースプレート１０の裏面に戻り、直角に右方向に折れてさらに配線行７を継続するようになっている。なお、戻りの貫通孔２ｇの位置は、配線列６を跨ぐような位置に設定し、ベースプレート１０の裏面において配線列６と配線行７とが接触しないようにしている。
【００２２】
以上、説明したように本発明における発光体表示装置は、正負両極導線が交叉しても全く接触接触しないように配線しているので、被覆していない裸線を使用することも出来る。裸線は被覆層による線径の増加が無いため同じ通電容量においても線径を細くできる。さらに、同一の配線列や配線行にＬＥＤを多数個直列に配設しているので、ベースプレート上の配線本数を大幅に減少させることができる。
さらに、被覆層のない裸線を用いることにより、配線作業において被覆層の剥離除去する必要がなく大幅に製作工程を軽減できる。
【００２３】
本発明のベースプレートとしては、必要に応じて不透明あるいは透明の素材を選択できる。透明なものとしてはガラスの基板が挙げられる。重量、コスト、製作および取り扱いの容易性からアクリル、ポリカーボネート、ポリエステル、塩ビ、ポリスチレン、エポキシ、ＡＢＳなどの有機樹脂製の透明基板や不透明基板も好適に用いることができる。
【００２４】
次に、図８のＬＥＤ点灯制御のブロック回路図を用いて、実施の形態２の発光体表示装置における点灯制御についてさらに詳しく説明する。図８に示すように、選択スイッチング制御部２０からの８本の配線列６（Ｂ１〜Ｂ８）は、同一の配線列にそれぞれ８個のＬＥＤを直列的に接続している。一方、駆動制御部２１からの８本の配線行７（Ａ１〜Ａ８）は、同一の配線行に前記配線列６に接続したＬＥＤに直列的に直列的に接続している。
【００２５】
選択スイッチング制御部２０から配線列６に対して、予め設定された時分割で配線列（Ｂ１〜Ｂ８）のいずれか（複数配線列も含む）を選択して供給電流信号が送られる。この配線列を選択した通電に同期して、ＬＥＤ駆動データ２２から、選択された配線行７（複数配線行も含む）に対して駆動電流信号が送られる。すなわち、選択スイッチング制御部２０によって通電された配線列６上のＬＥＤに対して、ＬＥＤ駆動データ２２に基づいて駆動制御部２１からの配線行７に実行された場合にのみＬＥＤが点灯することになる。
【００２６】
以下に点灯制御動作をさらに詳しく説明する。選択スイッチ制御２０からの通電信号が配線列Ｂ２に実行されている時点で、配線列Ｂ２の通電に同期させて駆動制御部２１からの通電が配線行Ａ２、Ａ３、Ａ４、Ａ５、Ａ６に実行されたとき、図８にＬＥＤを示す四角の中に〇印を表示した５個のＬＥＤが同時点灯する。
次に、選択スイッチング制御部２０からの通電信号が配線列Ｂ３へ移行した時に、配線列Ｂ３の通電に同期させて駆動制御部２１からの通電が配線行Ａ２、Ａ４、Ａ６に実行されたとき、図８にＬＥＤを示す四角の中に×印で表示した３個のＬＥＤが同時点灯する。そして、選択スイッチング制御部２０からの通電信号が配線列Ｂ４へ移行した時に、配線列Ｂ４の通電に同期させて駆動制御部２１からの通電が配線行Ａ２、Ａ４、Ａ６に実行されたとき、図８にＬＥＤを示す四角の中に●印で表示した３個のＬＥＤが同時点灯する。
【００２７】
選択スイッチング制御部２０における通電信号の切り替えは０．１〜１秒間隔程度の高速で行われるから、ベースプレート上に配設されたＬＥＤは、時間経過に従って高速で点滅をすることになるが、既に消灯したＬＥＤが残像として残り、実施の形態２ではアルファベット文字「Ｅ」が視認できる。
【００２８】
図９は、実施の形態２に説明した、選択スイッチング２０と駆動制御部２１との同期によりＬＥＤを点滅させる発光表示装置を１ユニットとして、これらのユニットを左右、上下に複数形成して、広い面積のベースプレートの発光体表示装置として組み立てた構成例である。
図１０は、図９に示す発光表示装置をシステムとして組み立てて点灯させた一例を示す斜視図である。ベースプレート上に格子状にＬＥＤを配設した発光表示装置４０は、内部に端子台（図示せず）を備えた支柱３０ａに両サイドを支えられ基台としてのコントロールボックス３０に立設されている。コントロールボックス３０内には、選択スイッチング制御部及び駆動制御部を含むＬＥＤ制御部２３、ＬＥＤ駆動データ２２、電源２４などが収納されている。
【００２９】
ＬＥＤ制御部２３への通信はＬＥＤ駆動データ部２２に入力されているデータに基づいて送信されるが、該データは、外部コンピュータ２３などを用いてＬＥＤの点滅パターンとして形成されている。図１０では、コントロールボックス３０を発光表示装置４０の下部に設けたが、その付設部位は上部または側面でも適宜決定すればよい。本形態では、発光表示装置に格子状に配設されたＬＥＤの点灯を制御することにより例示として「Ｅ」の字を表示している。
【００３０】
一般にＬＥＤには、その外観形状のタイプとしては、フラット型、チップ型、砲弾型などがある。また、取り付け形状のタイプとしては、表面実装タイプ（ＳＭＤ）、スルーホールタイプなどがある。これらは、照度、サイズも異なるが、本発明の発光体表示装置の厚さ、大きさ、屋内、屋外など使用目的に応じて適宜選択することができるが、チップ型が薄くて小さいので、屋内の商品陳列の演出用の発光体として用いることが出来る。
以上詳しく説明したように、本実施の形態の発光体表示装置は、ベースプレート上に格子状に配設した発光体の配設とそれへの電気配線を簡易に実施することが出来ると共に、その組立て方法も簡単である。
【産業上の利用可能性】
【００３１】
本発明は、広告表示をはじめ各種表示に近時多用されている格子状に配設した発光体表示装置において、配線列と配線行とを電気的接触することなく配線することができる。また、ベースプレート上に形成した貫通孔を用いて配線した配線列や配線行に発光体を直接半田付けすることにより、構造が極めて簡単であり経済性も高い発光体表示装置を簡易に製作でき、産業上の利用価値が高い。
【図面の簡単な説明】
【００３２】
【図１】本発明の実施形態１の発光体表示装置の一部を示した平面図である。
【図２】実施形態１の発光体表示装置の断面図（ａ）及び平面図（ｂ）の部分拡大図である。
【図３】ベースプレート上に配設された発光体の平面図とそのＡ−Ａ断面図である。
【図４】本発明の実施形態１の配線行終端部における発光体への導線の接続状態を示す説明図である。
【図５】砲弾型のＬＥＤをベースプレートに取り付けた状態を示す平面図（ａ）と断面図（ｂ）である。
【図６】実施形態２のの発光体表示装置の部分拡大図である。
【図７】実施形態２のベースプレート上に発光体を取り付けた状態を示す説明図である。
【図８】本発明の発光体表示装置のＬＥＤ点灯制御のブロック回路図である。
【図９】発光体表示装置を複数ユニット設けた発光体表示パネルの平面図である。
【図１０】本発明の発光体表示装置をコントロールボックスと組み合わせてシステム化した例を示す斜視図である。
【符号の説明】
【００３３】
１    ・・・ＬＥＤ（発光体）
１ａ  ・・・ＬＥＤ極端子
１ｂ  ・・・ＬＥＤ極端子
２    ・・・導出孔
２ａ  ・・・導出孔
２ｂ  ・・・導出孔
２ｃ  ・・・導出孔
２ｄ  ・・・貫通孔
２ｅ  ・・・貫通孔
２ｆ  ・・・貫通孔
３    ・・・貫通孔
４    ・・・配線列端子盤
５    ・・・配線行端子盤
６    ・・・配線列
７    ・・・配線行
８    ・・・接続部
９    ・・・溝
１０  ・・・ベースプレート
２０  ・・・選択スイッチング制御部
２１  ・・・駆動制御部
２２  ・・・ＬＥＤ駆動データ
２３  ・・・ＬＥＤ制御部
２４  ・・・電源
２５  ・・・ＰＣ（コンピュータ）
３０  ・・・コントロールボックス
３０ａ・・・支柱
４０  ・・・発光体表示装置
【図１】
2008003112.tif 000003
【図２】
2008003112.tif 000004
【図３】
2008003112.tif 000005
【図４】
2008003112.tif 000006
【図５】
2008003112.tif 000007
【図６】
2008003112.tif 000008
【図７】
2008003112.tif 000009
【図８】
2008003112.tif 000010
【図９】
2008003112.tif 000011
【図１０】
2008003112.tif 000012